(57)【要約】  違和感なく装着して使用することができるとともに、手指を大きく（深く）曲げることのできる縫製手袋を提供する。指の甲面を被覆する指甲材と、指の掌面および左右側面をそれぞれ被覆する幅を有した指平材とを縫製して指袋とするとともに、指袋を掌側へ屈曲させた縫製手袋であって、指平材１２を、指の関節に対応する位置で分割指平材１２Ｘ，１２Ｙ，１２Ｚに分割し、この分割指平材１２Ｘ，１２Ｙ，１２Ｚの分割部端縁を指の左側面と指の掌面と指の右側面とにわたって、指の関節に対応させた指の掌面の直線部縁１５ａ２，１５ｂ２の左右に傾斜直線部縁１５ａ１，１５ａ３，１５ｂ１，１５ｂ３が連なる切り込み縁１５ａ，１５ｂとし、分割指平材１２Ｘ，１２Ｙ，１２Ｚを切り込み縁１５ａ，１５ｂに沿って相互に縫合することにより、指甲材を含む指袋全体を掌側へ向けて屈曲させる。
2011132281.tif 000002
【特許請求の範囲】
【請求項１】
手指の甲面を被覆する指甲材と、前記手指の平面および左右側面をそれぞれ被覆する幅を有した指平材とを縫製して指袋とするとともに、前記指袋を掌側へ屈曲させた縫製手袋であって、
前記指平材を、前記手指の関節に対応する位置で複数の分割指平材に分割し、
この各分割指平材の分割部端縁を、前記手指の左側面に対応する左側面被覆部と前記手指の平面に対応する平面被覆部と前記手指の右側面に対応する右側面被覆部とにわたって、前記手指の関節と平行な前記平面被覆部の直線部縁の左右に傾斜直線部縁が連なる凹状の切り込み縁とし、
前記各分割指平材を前記切り込み縁に沿って相互に縫合することにより、前記指甲材を含む前記指袋全体を前記掌側へ向けて屈曲させた、
ことを特徴とする縫製手袋。
【請求項２】
請求項１に記載の縫製手袋において、
前記各切り込み縁が３直線によって形成されている、
ことを特徴とする縫製手袋。
【請求項３】
請求項１に記載の縫製手袋において、
前記各切り込み縁が等脚台形を形成している、
ことを特徴とする縫製手袋。
【請求項４】
手指の甲面を被覆する指甲材と、前記手指の平面および左右側面をそれぞれ被覆する幅を有した指平材とを縫製して指袋とするとともに、前記指袋を掌側へ屈曲させた縫製手袋であって、
前記指平材の前記手指の関節に対応する位置に、前記指平材の左右両側縁の各一部を残して前記手指の左側面に対応する左側面被覆部と前記手指の平面に対応する平面被覆部と前記手指の右側面に対応する右側面被覆部とにわたって、前記手指の関節と平行な前記平面被覆部の直線部の左右に傾斜直線部が連なる曲線が対向配置された形状の孔を設け、
この孔の対向する対向縁同士をその対向縁に沿って相互に縫合することにより、前記指甲材を含む前記指袋全体を前記掌側へ向けて屈曲させた、
ことを特徴とする縫製手袋。
【請求項５】
請求項４に記載の縫製手袋において、
前記孔が６直線によって形成された六角形である、
ことを特徴とする縫製手袋。
【請求項６】
請求項４に記載の縫製手袋において、
前記孔が指先側の等脚台形と指下側の等脚台形とを接合した六角形である、
ことを特徴とする縫製手袋。
【発明の詳細な説明】
【技術分野】
【０００１】
この発明は、指袋を予め掌側へ屈曲させた状態に縫製した縫製手袋に関するものである。
【背景技術】
【０００２】
例えば、スキー用やオートバイ用等の比較的厚手の手袋においては、図２１に示すように、予め指袋２０４を掌側（指平側）へ屈曲させておくと、スキーのストックやオートバイのハンドルグリップ等を握持するときに手指の曲げ力が少なくて済むので、グリップがし易くなる。なお、予め掌側へ屈曲させる指袋２０４は、主として小指から人差し指の４本であるが、親指袋も掌側へ屈曲させたものもある。【０００３】
ところで、図２１に示す縫製手袋においては、指袋（小指から人差し指までの４本の指袋）２０４を予め掌側へ屈曲させるのに、図２２および図２３に示すように、手指の左右側面を被覆するマチ材２０５，２０５を使用して各指袋２０４を掌側へ屈曲させている。【０００４】
すなわち、各指袋（親指袋を除く）２０４は、図２２に示すように、指平材２１２と、指甲材２２２と、左右２枚のマチ材２０５とを使用し、各材２１２，２２２，２０５の幅方向端縁同士を縫合することにより、図２３に示すように、袋状に縫製されるが、マチ材２０５，２０５として湾曲形状に裁断したものを使用することにより、各指袋（親指袋を除く）２０４を図２１のように掌側へ屈曲させている（例えば、特許文献１参照。）。【０００５】
ところで、図２１に示す縫製手袋では、小指から人差し指までの各指袋２０４をそれぞれ予め掌側へ屈曲させているが、マチ材２０５，２０５を使用したものでは、図２３に示すように、指平材２１２の左右端縁とマチ材２０５，２０５の一端縁とを縫合した縫合部（縫い目線）Ｌ，Ｌが指袋２０４の全長に亘って形成される。この縫合部Ｌ，Ｌは、各材２１２，２０５の端縁を内側に向けた状態でその端縁同士を糸で縫合したものであるから、曲げ抵抗が大きくなるとともに、指袋２０４内の指平材２１２の両側にそれぞれ凸筋部が形成されることになる。【０００６】
このように、図２１〜図２３に示す縫製手袋は、マチ材２０５，２０５を使用することにより予め指袋２０４を掌側へ屈曲させておくことができるものの、指平材２１２の両側に縫合部Ｌ，Ｌが形成されるので、この縫製手袋を装着して物品（グリップ）を握ったときに指平材２１２の両側の縫合部Ｌ，Ｌが手指と物品（グリップ）との間に介在して違和感を感じるとともに、縫合部Ｌ，Ｌが曲げ抵抗となって各指袋２０４を曲げにくくする要因となっている。【０００７】
上記したように、マチ材２０５を使用する場合、指袋２０４を大きく曲げることができる限界があるので、マチ材２０５の生地を柔らかな薄手にして指袋２０４を大きく曲げることができるようにすると、マチ材２０５が柔らかくて薄手のため、マチ材２０５が伸び、ゆがみ、ねじれて意図した立体形状にできなくなる。【０００８】
そこで、図２４（ａ）に示すように、各手指の２つの関節〔第１関節（指先側の関節）と第２関節（指下側の関節）〕に対応する位置の左右両側縁の各一部（０.５ｍｍ〜１ｍｍ程度）を残して略楕円孔３１５を打抜き形成した指平材３１２とすることが提案されている。【０００９】
すなわち、図２４（ａ）は指平材３１２を展張させた状態を示しているが、この指平材３１２には手指の平面被覆部３１３とその左右に手指の側面被覆部３１４，３１４とが一体に裁断されている。この展張状態から図２４（ｂ）に示すように、指平材３１２を幅方向にＵ型に湾曲させるとともに、略楕円孔３１５，３１５の対向する凹弧状端縁３１５ａ，３１５ｂ同士を凹弧状端縁３１５ａ，３１５ｂに沿って相互に縫合する。なお、凹弧状端縁３１５ａ，３１５ｂは、それぞれ指袋内に向けて折り返した状態でその先端部同士を縫合する。このように略楕円孔３１５の凹弧状端縁３１５ａ，３１５ｂ同士を縫合すると、略楕円孔３１５部分が引き寄せられることにより、凹弧状端縁３１５ａ，３１５ｂの縫合部Ｍ，Ｍで指平材３１２が掌側（指平側）へ屈曲するようになる。【００１０】
そして、図２４（ｂ）の状態から図２４（ｃ）に示すように、指平材３１２の左右端縁と指甲材３２２の左右端縁とを縫合する（縫合部Ｎ，Ｎ）ことにより、指袋３０４の形状に縫製できる。なお、各縫合部Ｍ，Ｎは、各生地の裏側から縫合する。また、手平材と手甲材のその他の部分および親指袋材は、それぞれ従来から行われている常法により縫合して、図２１に示すような手袋に縫製する（例えば、特許文献１、特許文献２参照。）。【００１１】
この図２４に示す指袋３０４を有した縫製手袋は、指平材３１２の両側に縫合部が形成されないので、この縫製手袋を装着して物品（グリップ）を握ったときに手指と物品との間に縫合部が介在しなくなるとともに、指袋３０４の曲げ抵抗が少なくなって各指袋３０４が曲げ易くなる。また、縫合部Ｍは、折り曲げた手指の関節の部分に埋没するので、気にならなくなる。【００１２】
図２４に示した指袋３０４の場合、作業性を考慮して指平材３１２を略楕円孔１５の左右部分で３つに分割して縫合したり、袋縫い、重ね式ピケ縫いなどにすることもある。
【先行技術文献】
【特許文献】
【００１３】
【特許文献１】実用新案登録第３１２２５３０号公報
【特許文献２】特開２００９−３０２１６号公報
【発明の概要】
【発明が解決しようとする課題】
【００１４】
図２４に示す縫製手袋は各指袋３０４の曲げ抵抗が少なくなって各指袋３０４を容易に曲げることができるものの、指袋３０４を予め掌側へもっと大きく（深く）屈曲させておき、手指をもっと大きく容易に曲げることができるようにできないかとの要望がある。この要望に応えるためには、図２４における略楕円孔３１５の深さを大きく（深く）することが考えられる。【００１５】
しかしながら、図２４における略楕円孔３１５の深さを大きく（深く）した場合、指袋３０４を予め掌側へ大きく屈曲させておくことができるものの、略楕円孔３１５の凹弧状端縁３１５ａ，３１５ｂ同士を縫合した縫合部Ｍ，Ｍが手指の関節に沿わなくなって手指の関節と縫合部Ｍ，Ｍとの間に大きな隙間ができたり、ミシンによる縫製が困難で、指袋３０４にゆがみ、ねじれが発生する。このように縫合部Ｍ，Ｍが手指の関節に沿わなかったり、指袋３０４にゆがみ、ねじれが発生すると、装着時に縫合部Ｍ，Ｍが手指の関節の左右に当たり、装着しづらくなり、また、使用（把持）時に縫合部Ｍ，Ｍが手指の関節に沿わないために違和感を感じる。【００１６】
この発明は、上記した不都合を解消するためになされたもので、違和感なく装着して使用することができるとともに、手指を大きく（深く）曲げることのできる縫製手袋を提供するものである。
【課題を解決するための手段】
【００１７】
この発明は、手指の甲面を被覆する指甲材と、前記手指の平面および左右側面をそれぞれ被覆する幅を有した指平材とを縫製して指袋とするとともに、前記指袋を掌側へ屈曲させた縫製手袋である。【００１８】
前記指平材を、前記手指の関節に対応する位置で複数、例えば、３つの分割指平材に分割する。【００１９】
前記各分割指平材の分割部端縁を、前記手指の左側面に対応する左側面被覆部と前記手指の平面に対応する平面被覆部と前記手指の右側面に対応する右側面被覆部とにわたって、前記手指の関節と平行な前記平面被覆部の直線部縁の左右に傾斜直線部縁が連なる凹状の切り込み縁とする。【００２０】
そして、前記各分割指平材を前記切り込み縁に沿って相互に縫合することにより、前記指甲材を含む前記指袋全体を前記掌側へ向けて屈曲させる。【００２１】
また、この発明は、手指の甲面を被覆する指甲材と、前記手指の平面および左右側面をそれぞれ被覆する幅を有した指平材とを縫製して指袋とするとともに、前記指袋を掌側へ屈曲させた縫製手袋である。【００２２】
前記指平材の前記手指の関節に対応する位置に、前記指平材の左右両側縁の各一部を残して前記手指の左側面に対応する左側面被覆部と前記手指の平面に対応する平面被覆部と前記手指の右側面に対応する右側面被覆部とにわたって、前記手指の関節と平行な前記平面被覆部の直線部の左右に傾斜直線部が連なる曲線が対向配置された形状の孔を設ける。【００２３】
そして、孔の対向する対向縁同士をその対向縁に沿って相互に縫合することにより、前記指甲材を含む前記指袋全体を前記掌側へ向けて屈曲させる。
【発明の効果】
【００２４】
この発明によれば、各分割指平材を切り込み縁に沿って相互に縫合することにより、指甲材を含む指袋全体を掌側へ向けて屈曲させたので、また、孔の対向する対向縁同士をその対向縁に沿って相互に縫合することにより、指甲材を含む指袋全体を掌側へ向けて屈曲させたので、指袋の手指の関節に対応する部分の空間が左右の傾斜直線部縁または傾斜直線部の縁によって急激に立ち上がるとともに、手指の挿入方向に直交する方向の空間的な広さ（長さ）を直線部縁または直線部の縁によって十分に確保できることにより、縫合部が手指の関節の左右に当たらなくなって違和感なく装着できるとともに、使用時に縫合部が手指の関節に沿って手指の関節と縫合部との間の隙間が小さくなり、縫合部が折り曲げた手指の関節の部分に埋没することにより、違和感なく手指を大きく（深く）曲げることができる。
【図面の簡単な説明】
【００２５】
【図１】この発明の第１実施例の縫製手袋を親指袋側から見た側面図である。
【図２】図１のＩＩ−ＩＩ線による拡大断面図である。
【図３】図１の指袋における長手方向の断面図である。
【図４】図１の指袋における長手方向の断面図である。
【図５】この発明の第１実施例の縫製手袋に使用する手平材および親指袋材の平面図である。
【図６】この発明の第１実施例の縫製手袋に使用する手甲材の平面図である。
【図７】この発明の第１実施例の縫製手袋における切り込み縁の構成を示す説明図である。
【図８】この発明の第１実施例の縫製手袋における指袋部分の縫製方法を示す説明図である。
【図９】この発明の第１実施例の縫製手袋における分割指平材の縫製方法を示す説明図である。
【図１０】手指の折り曲げ過程および折り曲げ状態を示す説明図である。
【図１１】縫い目および糸数を示す説明図である。
【図１２】この発明の第１実施例の縫製手袋における縫い合わせの例を示す説明図である。
【図１３】この発明の第１実施例の縫製手袋における縫い合わせの他の例を示す説明図である。
【図１４】この発明の第１実施例の縫製手袋における縫い合わせのさらに他の例を示す説明図である。
【図１５】図１２に示した縫い合わせの作用を示す説明図である。
【図１６】この発明の第２実施例の縫製手袋の指袋における長手方向の断面図である。
【図１７】この発明の第２実施例の縫製手袋に使用する手平材および手甲材の平面図である。
【図１８】この発明の第１実施例の縫製手袋における切り込み縁形状の変形例を示す説明図である。
【図１９】この発明の第１実施例の縫製手袋における切り込み縁形状の他の変形例を示す説明図である。
【図２０】この発明をオートバイ用手袋に適用した一例を示す斜視図である。
【図２１】従来の縫製手袋の一例を親指袋側から見た側面図である。
【図２２】図２１に示した縫製手袋の指袋部分に使用される指袋材料の分解斜視図である。
【図２３】図２１のＸＸＩＩＩ−ＸＸＩＩＩ線による拡大断面図である。
【図２４】従来の縫製手袋の他の例の指袋部分における縫製方法を示す説明図である。
【発明を実施するための形態】
【００２６】
以下、この発明の実施例を図面を参照して説明する。
【００２７】
この発明の第１実施例の縫製手袋は、図１に示すように、手平材１と、手甲材２と、親指袋材３とで縫製されている。すなわち、第１実施例の縫製手袋は、図５および図６に示す手平材１と、手甲材２と、親指袋材３とで図１に示すように縫製されている。
【００２８】
これらの生地（手平材１、手甲材２、親指袋材３）には、主として皮革または合成皮革が使用されている。なお、この発明の縫製手袋は、主としてスキー用やオートバイ用等の比較的厚手で、かつ使用時にグリップを握持するものに好適であるが、ゴルフ用やバッティング用等の比較的薄手のものにも使用可能である。
【００２９】
図５および図６には、手平材１と手甲材２と親指袋材３における裁断状態の平面図を示している。手平材１は、掌部１１と、人差し指用の指平材１２（１２Ａ）と、中指用の指平材１２（１２Ｂ）と、薬指用の指平材１２（１２Ｃ）と、小指用の指平材１２（１２Ｄ）とを別裁断している。また、手甲材２は、掌部２１に小指から人差し指までの４本の指甲材２２を一体裁断している。
【００３０】
４つの指平材１２は、図７に示す中指用指平材１２（１２Ｂ）のように、それぞれ手指の平面（ひらめん）と左右各側面を被覆し得る幅を有している。すなわち、各指平材１２は、手指の平面に対応する平面被覆部１３の左右にそれぞれ手指の左右側面に対応する側面被覆部１４，１４を有する幅で裁断されている。そして、４つの指平材１２は、図５および図７に示すように、手指の関節（第１関節および第２関節）に対応する位置で、末節用（第１関節よりも指先用）、中節用（第１関節と第２関節との間用）、基節用（第２関節よりも掌側用）の３つの分割指平材１２Ｘ，１２Ｙ，１２Ｚに分割されている。
【００３１】
そして、各分割指平材１２Ｘ，１２Ｙ，１２Ｚの分割部端縁は、手指の左側面に対応する左の側面被覆部１４と手指の平面に対応する平面被覆部１３と手指の右側面に対応する右の側面被覆部１４とにわたって、手指の関節と平行な平面被覆部１３の直線部縁１５ａ２（１５ｂ２）の左右に傾斜直線部縁１５ａ１，１５ａ３（１５ｂ１，１５ｂ３）が連なる凹状の切り込み縁１５ａ（１５ｂ）とされ、傾斜直線部縁１５ａ１，１５ｂ１同士が対向し、直線部縁１５ａ２，１５ｂ２同士が対向するとともに、傾斜直線部縁１５ａ３，１５ｂ３同士が対向している。すなわち、各切り込み縁１５ａ，１５ｂは、３直線によって等脚台形状（底辺は開放している。）を形成している。
【００３２】
なお、図５における各指平材１２の平面被覆部１３、側面被覆部１４、切り込み縁１５ａ，１５ｂ、傾斜直線部縁１５ａ１，１５ａ３，１５ｂ１，１５ｂ３、直線部縁１５ａ２，１５ｂ２は、図７における符号の付与の仕方と同じであるので、符号の付記は省略してある。
【００３３】
そして、各関節部分に対応する各切り込み縁１５ａ，１５ｂの深さ（高さ）ｄは、図１０に示すように、人差し指を伸ばしている状態〔図１０（ａ）〕から人差し指を折り曲げた〔図１０（ｂ）〕後、再度人差し指を伸ばした状態〔図１０（ｃ）〕にすると分かるように、第１関節部分は９０度を少し超える位まで曲がり、第２関節部分は９０度を超えて１２０度位まで曲がるので、指下側の切り込み縁１５ａ，１５ｂ（第２関節部分）の深さｄの合計（ｄ３＋ｄ４）（図７参照）が、指先側の切り込み縁１５ａ，１５ｂ（第１関節部分）の深さｄの合計（ｄ１＋ｄ２）（図７参照）よりも大きくなっている。
【００３４】
また、対向する切り込み縁１５ａの深さ（高さ）ｄと切り込み縁１５ｂの深さ（高さ）ｄとは、ピケ縫いの場合、重ねたときに上側（表側）になる分割指平材の切り込み縁の長さの方が下側になる（裏側）になる分割指平材の切り込み縁の長さよりも長くなるので、上側に重ねる分割指平材の切り込み縁の深さｄが深くなっている。すなわち、例えば図７に示すように、分割指平材１２Ｘにおける切り込み縁１５ａの深さｄ１は、分割指平材１２Ｙにおける切り込み縁１５ｂの深さｄ２よりも浅くなっている。また、分割指平材１２Ｙにおける切り込み縁１５ａの深さｄ３は、分割指平材１２Ｚにおける切り込み縁１５ｂの深さｄ４よりも浅くなっている。
【００３５】
また、内縫いの場合、対向する切り込み縁１５ａの深さｄと切り込み縁１５ｂの深さｄは同じになる。
【００３６】
なお、ゴルフ、スキー、オートバイ、自転車などのスポーツによって手指の動きが異なるので、目的とするスポーツの手指の動きに沿ったカーブを指袋４に切り込み縁１５ａ，１５ｂで付けることができる。これは、指部と本体とが独立していることによって可能になる。
【００３７】
この第１実施例の縫製手袋は、指袋４部分を図８（ａ）〜（ｃ）に示すようにして縫製する。
【００３８】
まず、図８（ａ）に示す展開状態の２つの分割指平材１２Ｘ，１２Ｙを、図９（ａ）に示すように、末節用の分割指平材１２Ｘにおける左側の側面被覆部１４の切り込み縁１５ａ（傾斜直線部縁１５ａ１）の上に中節用の分割指平材１２Ｙにおける左側の側面被覆部１４の切り込み縁１５ｂ（傾斜直線部縁１５ｂ１）を重ね、切り込み縁１５ａ，１５ｂ同士を傾斜直線部縁１５ａ１，１５ｂ１に沿って、例えば直線状に相互に縫合する。
【００３９】
次に、図９（ｂ）に示すように、末節用の分割指平材１２Ｘにおける平面被覆部１３の切り込み縁１５ａ（直線部縁１５ａ２）の上に中節用の分割指平材１２Ｙにおける平面被覆部１３の切り込み縁１５ｂ（直線部縁１５ｂ２）を重ね、切り込み縁１５ａ，１５ｂ同士を直線部縁１５ａ２，１５ｂ２に沿って直線状に相互に縫合する。
【００４０】
さらに、図９（ｃ）に示すように、末節用の分割指平材１２Ｘにおける右側の側面被覆部１４の切り込み縁１５ａ（傾斜直線部縁１５ａ３）の上に中節用の分割指平材１２Ｙにおける右側の側面被覆部１４の切り込み縁１５ｂ（傾斜直線部縁１５ｂ３）を重ね、切り込み縁１５ａ，１５ｂ同士を傾斜直線部縁１５ａ３，１５ｂ３に沿って直線状に相互に縫合する（ピケ縫い；図３（ａ）参照）。なお、図９（ａ）〜（ｃ）における破線Ｌ１は、縫合糸を示している。
【００４１】
同様にして、中節用の分割指平材１２Ｙにおける左側の側面被覆部１４の切り込み縁１５ａ（傾斜直線部縁１５ａ１）の上に基節用の分割指平材１２Ｚにおける左側の側面被覆部１４の切り込み縁１５ｂ（傾斜直線部縁１５ｂ１）を重ね、切り込み縁１５ａ，１５ｂ同士を傾斜直線部縁１５ａ１，１５ｂ１に沿って相互に縫合する。
【００４２】
次に、中節用の分割指平材１２Ｙにおける平面被覆部１３の切り込み縁１５ａ（直線部縁１５ａ２）の上に基節用の分割指平材１２Ｚにおける平面被覆部１３の切り込み縁１５ｂ（直線部縁１５ｂ２）を重ね、切り込み縁１５ａ，１５ｂ同士を直線部縁１５ａ２，１５ｂ２に沿って相互に縫合する。
【００４３】
さらに、中節用の分割指平材１２Ｙにおける右側の側面被覆部１４の切り込み縁１５ａ（傾斜直線部縁１５ａ３）の上に基節用の分割指平材１２Ｚにおける右側の側面被覆部１４の切り込み縁１５ｂ（傾斜直線部縁１５ｂ３）を重ね、切り込み縁１５ａ，１５ｂ同士を傾斜直線部縁１５ａ３，１５ｂ３に沿って相互に縫合する（ピケ縫い）。
【００４４】
このように分割指平材１２Ｘ、１２Ｙ，１２Ｚを縫合すると、凹状の切り込み部分が引き寄せられることにより、図８（ｂ）に示すように、縫合部Ｍ２，Ｍ２で指平材１２が掌側（指平側）へ屈曲するようになる。
【００４５】
そして、図８（ｂ）の状態から図８（ｃ）に示すように、指平材１２の左右各端縁と指甲材２２の左右各端縁とを縫合する（縫合部Ｎ２，Ｎ２）ことにより、指袋４の形状に縫製できる。なお、縫合部Ｎ２は、各生地の裏側から縫合する（内縫い）。また、手平材と手甲材のその他の部分および親指袋材は、それぞれ従来から行われている常法により縫合して、縫製手袋とする。
【００４６】
この図８に示す指袋４を有した縫製手袋は、図２に示すように、指平材１２の両側に縫合部が形成されないので、この縫製手袋を装着して物品（グリップ）を握ったときに指Ｆと物品との間に縫合部が介在しなくなるとともに、指袋４の曲げ抵抗が少なくなって各指袋４が曲げ易くなるとともに、曲げ力が少なくて済むようになる。
【００４７】
また、指袋４の指Ｆの関節Ｆａに対応する部分の空間が左右の傾斜直線部縁１５ａ１，１５ａ３，１５ｂ１，１５ｂ３によって急激に立ち上がるとともに、指Ｆの挿入方向に直交する方向の空間的な広さ（長さ）を直線部縁１５ａ２，１５ｂ２によって十分に確保できることにより、縫合部Ｍ２が指Ｆの関節Ｆａの左右に当たらなくなって違和感なく装着できるとともに、使用時に縫合部Ｍ２が指Ｆの関節Ｆａに沿って指Ｆの関節Ｆａと縫合部Ｍ２との間の隙間が小さくなり、縫合部Ｍ２が折り曲げた指Ｆの関節Ｆａの部分に埋没することにより、違和感なく指Ｆを大きく（深く）曲げることができる。
【００４８】
また、図２４に示すような楕円の円弧状の凹部を用いて、指袋を掌側へ予め屈曲させた縫製手袋（常態で、すなわち何ら外力が加わっていない状態で、指袋が掌側へ屈曲している縫製手袋）を製造する場合において、屈曲の度合いを大きくしようとすると、楕円の円弧状の凹部の深さを深くしなければならない。
【００４９】
楕円の円弧状の凹部の深さを深くして、各指平材の各凹部をお互いに縫い合わせた縫製手袋を形成し、この縫製手袋を装着すると、指の関節部分と各凹部との間に大きな隙間があいてしまい、装着者が違和感を抱くおそれがある。また、予め屈曲している指袋を直線状に延ばそうとしても十分に延びない場合がある。
【００５０】
これに対して、この発明の縫製手袋では、図７等に示すように、各指平材の凹部が等脚台形状に形成されており、各指平材の等脚台形状の各凹部同士をお互いに縫い合わせて縫製手袋を形成している。これにより、お互いに縫い合わされた、各指平材の等脚台形状の各凹部における上底同士の部位は、直線状になっている。さらに、指を曲げたときに、指の腹の関節部はほぼ直線状になる。
【００５１】
また、この発明の縫製手袋を装着者が装着した場合、等脚台形状の上底が指の腹の関節部に対向し、等脚台形状の各斜辺が指の側部の関節部に対向する。
【００５２】
このように、お互いに縫い合わされた各上底同士の部位と、指を曲げたときにおける指の腹の関節部との形態が、従来の縫製手袋の場合よりもお互いに近接するので、この発明の縫製手袋を装着者が装着したときに、指の関節部分と各凹部における縫製部との間に大きな隙間があくことを防止することができ、装着者が違和感を抱くおそれを回避することができる。また、予め屈曲している指袋を直線状に延ばそうとしたときに、指袋を十分に延ばすことができる。
【００５３】
また、各切り込み縁１５ａ，１５ｂが３直線によって形成されたり、各切り込み縁１５ａ，１５ｂが等脚台形状であるので、切り込み縁１５ａ，１５ｂの角を目印に分割指平材１２Ｘ，１２Ｙ，１２Ｚの縁を重ねることができるととともに、切り込み縁１５ａ，１５ｂの縫合部分が直線状になることにより、切り込み縁１５ａ，１５ｂの縫合を容易に行うことができ、品質の均一化を図ることができるとともに、不良品を減少させて歩留まりを向上させることができる。
【００５４】
次に、分割指平材１２Ｘ，１２Ｙ，１２Ｚ同士の縫合についてさらに説明する。
【００５５】
図３（ａ）に示す指袋４を指平側から見ると、図１２に示すように、末節用の分割指平材１２Ｘの上に中節用の分割指平材１２Ｙを重ね合わせることによって構成された重ね合わせ部Ｋを含む領域が、糸Ｓにより鋸の歯のようなジグザグ状に縫い合わされている。
【００５６】
例えば、図１２（ａ）は指先に存在する重ね合わせ部Ｋのみを、図１２（ｂ）は末節用の分割指平材１２Ｘと重ね合わせ部Ｋを、図１２（ｃ）は重ね合わせ部Ｋと中節用の分割指平材１２Ｙを、図１２（ｄ）は末節用の分割指平材１２Ｘと重ね合わせ部Ｋと中節用の分割指平材１２Ｙを、糸Ｓにより鋸の歯のようなジグザグ状に縫い合わせた場合を示す。
【００５７】
また、縫い目の数は、図１１に示すように、一定ではなく、縫製手袋がどの用途に用いられるか等を考慮して決定される。
【００５８】
図１１（ａ）は糸Ｓを縫い合わせることにより構成された平行運動機構の、例えば傾斜部分Ｓ１の縫い目が２つの場合、図１１（ｂ）は同様の場合に縫い目が３つの場合、図１１（ｃ）は同様の場合に縫い目が４つの場合をそれぞれ示す。
【００５９】
そして、糸Ｓの本数は、例えば図１１（ｄ）に示すように、１本の糸Ｓだけでなく、２本の糸Ｓを用い、これにより、糸Ｓで縫い合わせられる重ね合わせ部Ｋを含む領域を補強するのが、好ましい。
【００６０】
図１３は図３（ｂ）に示す指袋４を手平側から見た図であり、中節用の分割指平材１２Ｙの上に末節用の分割指平材１２Ｘを重ね合わせることによって構成された重ね合わせ部Ｋを含む領域が、糸Ｓにより鋸の歯のようなジグザグ状に縫い合わせられている。
【００６１】
同様に、例えば、図１３（ａ）は重ね合わせ部Ｋのみを、図１３（ｂ）は末節用の分割指平材１２Ｘと重ね合わせ部Ｋを、図１３（ｃ）は重ね合わせ部Ｋと中節用の分割指平材１２Ｙを、図１３（ｄ）は末節用の分割指平材１２Ｘと重ね合わせ部Ｋと中節用の分割指平材１２Ｙを、糸Ｓにより鋸の歯のようなジグザグ状に縫い合わせた場合を示す。
【００６２】
そして、図１３の場合も、縫い目の数は、同様に一定ではなく（図１１）、この発明の縫製手袋がどの用途に用いられるか等を考慮して決定され〔図１１（ａ）〜図１１（ｃ）〕、縫い合わせる糸Ｓの本数も例えば２本であって〔図１１（ｄ）〕、糸Ｓで縫い合わせる重ね合わせ部Ｋを含む領域を補強することが好ましい。
【００６３】
上記の図１２（ｂ）、図１２（ｄ）、図１３（ｃ）および図１３（ｄ）のように縫い合わせると、上側（表側）になる分割指平材１２Ｘ，１２Ｙの縁が捲れあがるのを防止することができる。
【００６４】
図１４は縫い合わせのさらに他の例を示す図である。
【００６５】
図１２、図１３に示されるジグザグ状の縫い合わせ方式が波型であるとすれば、図１４（ａ）は台形型であり、図１４（ｂ）は矩形型である。
【００６６】
従来の縫い合わせ方式が水平方向（直線状に縁に沿う方向、関節と平行な方向）の直線部分のみの直線型とすれば、図１４（ａ）の台形型は水平方向の直線部分Ｓ１１〜Ｓ１３と、この直線部分Ｓ１１〜Ｓ１３に対して傾斜している傾斜部分Ｓ１４〜Ｓ１７との混在型伸縮運動機構を構成し、図１４（ｂ）の矩形型は水平方向の直線部分Ｓ１８〜Ｓ２２と、この直線部分Ｓ１８〜Ｓ２２に対して直交する垂直方向（関節の方向と直交方向）の直線部分Ｓ２３〜Ｓ２８との混在型伸縮運動機構を構成している。
【００６７】
次に、伸縮運動機構の作用を説明する。
【００６８】
例えば、図３（ａ）に示すように、末節用の分割指平材１２Ｘの上に中節用の分割指平材１２Ｙを重ね合わせて重ね合わせ部Ｋを形成し、図１２（ａ）に示すように、この重ね合わせ部Ｋのみをジグザグ状に縫い合わせたとする。
【００６９】
これにより、図１５に示すように、縫い合わせた糸Ｓの傾斜部分Ｓ１，Ｓ２，Ｓ３と傾斜部分Ｓ４，Ｓ５，Ｓ６によって伸縮運動機構が構成され、しかも、分割指平材１２Ｘ，１２Ｙは、従来どおり一般の布や皮であって、可撓性に富んでおり、そのため、重ね合わせ部Ｋ全体は撓み易い。
【００７０】
そして、このような縫製手袋を手に装着した場合に、伸縮運動機構を構成する糸Ｓ全体の両端の縫い目を作用点ａ，ｂとして、図１５の左右方向の外力ｆ１，ｆ２が、手の指Ｆから働くものとする。
【００７１】
そうすると、糸Ｓの真ん中の縫い目Ｐを中心ｃとして、伸縮運動機構の傾斜部分Ｓ１，Ｓ２，Ｓ３が右側へ、傾斜部分Ｓ４，Ｓ５，Ｓ６が左側へそれぞれ変位する。
【００７２】
このため、伸縮運動機構の傾斜部分Ｓ１，Ｓ２，Ｓ３と傾斜部分Ｓ４，Ｓ５，Ｓ６の動きに応じて、撓み易い重ね合わせ部Ｋの右側部分ｍ１、左側部分ｍ２も図１５の左右方向へ変位可能となる。
【００７３】
したがって、縫製手袋を手に装着した場合、手の指Ｆに適合するように伸び、また湾曲することにより、縫製手袋を手に馴染み易くし、装着感（嵌め心地）をよくするという効果を奏する。
【００７４】
さらに、分割指平材１２Ｘ，１２Ｙ，１２Ｚ同士の他の縫合について説明する。
【００７５】
図４に示す手袋は、例えば分割指平材１２Ｘの表側の上に分割指平部材１２Ｙの表側を、切り込み縁１５ａ，１５ｂ同士を一致させて重ね、切り込み縁１５ａ，１５ｂ同士を切り込み縁１５ａ，１５ｂに沿って縫合する（縫合部Ｍ３）（内縫い）。
【００７６】
そして、分割指平材１２Ｙと分割指平材１２Ｚも同様に、分割指平材１２Ｙの表側の上に分割指平部材１２Ｚの表側を、切り込み縁１５ａ，１５ｂ同士を一致させて重ね、切り込み縁１５ａ，１５ｂ同士を切り込み縁１５ａ，１５ｂに沿って縫合する（縫合部Ｍ３）（内縫い）。
【００７７】
なお、手平材と手甲材のその他の部分および親指袋材は、それぞれ従来から行われている常法により縫合して、図４に示すような手袋に縫製する。
【００７８】
そして、図４の場合においても、縫い目の数は、同様に一定ではなく（図１１）、この発明の縫製手袋がどの用途に用いられるか等を考慮して決定され〔図１１（ａ）〜図１１（ｃ）〕、縫い合わせる糸Ｓの本数も例えば２本であって〔図１１（ｄ）〕、糸Ｓで縫い合わせる重ね合わせ部Ｋを含む領域を補強することが好ましい。
【００７９】
また、縫い合わせ方は、図１２、図１３に示すジグザグ状の波型であっても、図１４（ａ）に示す台形型であっても、図１４（ｂ）は矩形型であってもよい。
【００８０】
この発明の第２実施例の縫製手袋は、図１７に示すように、縫製前の手平材１１２が幅方向の両端部で僅かにつながっていることにより各指の手平材１１２が一体で形成されている（例えば、人差し指の手平材が複数（３つ）の部材に分割されているのではなく、１つの部材で形成されている。）点を除いては、第１実施例の縫製手袋とほぼ同様に構成されており、第１実施例の縫製手袋とほぼ同様に変形可能であり、第１実施例の縫製手袋とほぼ同様の効果を奏する。
【００８１】
また、この発明の第２実施例の縫製手袋は、図１６に示すように、手平材１０１と、手甲材１０２と、図示を省略した親指袋材とを基本部材として縫製されている。すなわち、第２実施例の縫製手袋は、図１７に示す手平材１０１と、手甲材１０２と、図示を省略した親指袋材とで縫製されている。
【００８２】
これらの生地（手平材１０１、手甲材１０２、親指袋材）には、主として皮革又は合成皮革が使用されている。なお、この発明の縫製手袋は、主としてスキー用やオートバイ用等の比較的厚手で、かつ使用時にグリップを握持するものに適用されるが、ゴルフ用やバッティング用等の比較的薄手のものにも使用可能である。
【００８３】
図１７は、手平材１０１と手甲材１０２における裁断状態の平面図を示している。手平材１０１は、いわゆるガンカットタイプに裁断されたもので、掌部１１１に人差し指用と小指用の２つの指平材１１２を一体裁断しているとともに、中指用と薬指用の２つの指平材１１２を別裁断している。また、手甲材１０２は、掌部１２１に小指から人差し指までの４本の指甲材１２２を一体裁断している。
【００８４】
４つの指平材１１２は、それぞれ手指の平面（ひらめん）と左右各側面を被覆し得る幅を有している。すなわち、各指平材１１２は、手指の平面に対応する平面被覆部１１３の左右にそれぞれ手指の左右の側面に対応する側面被覆部１１４，１１４を有する幅で裁断されている。
【００８５】
４つの指平材１１２には、図１７に示すように、各手指の２つの関節〔第１関節（指先側の関節）と第２関節（指下側の関節）〕に対応する位置にそれぞれ指平材１１２の左右両側縁の各一部（０.５ｍｍ〜１ｍｍ程度）を残して六角形の孔１１５，１１５が２箇所ずつ打抜き形成されている。この各孔１１５には、それぞれ対向縁１１５ａ，１１５ｂが対向させて形成されている。なお、この各孔１１５は、指平材１１２の左右両側縁の各一部を残した状態で形成されているので、各指平材１１２は１枚ものとして連続している。すなわち、各孔１１５は、指平材１１２の平面被覆部１１３のみならず、平面被覆部１１３の左右に存在している各側面被覆部１１４，１１４にまでわたって設けられている。
【００８６】
この各孔１１５は、手指の関節に対応する位置において指袋を掌側へ屈曲させるためのものであるが、この第２実施例では、図１７に示すように、４つの各指平材１１２にそれぞれ孔１１５を手指の関節（第１関節および第２関節）の位置に２箇所ずつ形成している。なお、例えばオートバイ用に使用する手袋では、小指と薬指の２本の指袋のみを掌側（指平側）に屈曲させたものがあり、その場合には孔１１５を小指袋と薬指袋の各指平材のみに形成してもよい。また、親指袋も内側に屈曲させる場合には、親指袋の指平材にも親指の関節が対応する位置に孔１１５と同様な孔を形成する。
【００８７】
各指平材１１２の各孔１１５には、それぞれ対向縁１１５ａ，１１５ｂが対向配置されている。そして、指平材１１２は、孔１１５の対向縁１１５ａ，１１５ｂ同士をその対向縁１１５ａ，１１５ｂに沿って相互に縫合することにより、図１６に示すように指平側へ向けて屈曲させることができる。なお、各孔１１５の深さ（手指の長さ方向の長さ）は、指袋の関節対応部分をどの程度屈曲させるかによって決められ、各孔１１５の深さを深くする程指袋の関節部分を大きく屈曲させることができる。
【００８８】
上記した対向縁１１５ａ（１１５ｂ）は、手指の左側面に対応する左の側面被覆部１１４と手指の平面に対応する平面被覆部１１３と手指の右側面に対応する右の側面被覆部１１４とにわたって、手指の関節と平行な平面被覆部１１３の直線部縁１１５ａ２（１１５ｂ２）の左右に傾斜直線部縁１１５ａ１，１１５ａ３（１１５ｂ１，１１５ｂ３）が連なり、傾斜直線部縁１１５ａ１，１１５ｂ１同士が対向し、直線部縁１１５ａ２，１１５ｂ２同士が対向するとともに、傾斜直線部縁１１５ａ３，１１５ｂ３同士が対向している。すなわち、対向縁１１５ａ，１１５ｂは、６直線によって形成された六角形であるとともに、指先側の等脚台形（底辺が開放している。）と指下側の等脚台形（底辺が開放している。）とを接合した六角形である。そして、対向する対向縁１１５ａ，１１５ｂの深さ〔傾斜直線部縁１１５ａ１，１１５ｂ１の接合部と傾斜直線部縁１１５ａ３，１１５ｂ３の接合部とを結ぶ直線と、直線部縁１１５ａ２，１１５ｂ２との間隔（長さ）〕は、内縫いの場合、同じになる。
【００８９】
なお、図１７における各指平材１１２の対向縁１１５ａ，１１５ｂを構成する傾斜直線部１１５ａ１，１１５ａ３，１１５ｂ１，１１５ｂ３、直線部縁１１５ａ２，１１５ｂ２は、符号が付与されていない対向縁１１５ａ，１１５ｂも、符号が付与されている対向縁１１５ａ，１１５ｂと同じであるので、符号の付記は省略してある。
【００９０】
この第２実施例の縫製手袋は、図１７に示す手平材１０１と、手甲材１０２と、図示を省略した親指袋材とで縫製されるが、その場合、小指から人差し指の各指袋１０４は、図２４（ａ）〜（ｃ）のようにして縫製される。
【００９１】
すなわち、図１７は指平材１１２を展張させた状態を示しているが、この指平材１１２には手指の平面被覆部１１３とその左右に各側面被覆部１１４，１１４とが一体に裁断されている。この展張状態から図２４（ｂ）に示すように、指平材１１２を幅方向にＵ字型に湾曲させるとともに、各孔１１５の対向縁１１５ａ，１１５ｂ同士をその対向縁１１５ａ，１１５ｂに沿って相互に縫合したり、孔１１５部分で指平材１１２を折り曲げて対向縁１１５ａ，１１５ｂ同士を重ねるとともに、各孔１１５の対向縁１１５ａ，１１５ｂ同士をその対向縁１１５ａ，１１５ｂに沿って相互に縫合する（内縫い）。
【００９２】
このように各孔１１５の対向縁１１５ａ，１１５ｂ同士を縫合すると、孔１１５部分が引き寄せられることにより、各対向縁１１５ａ，１１５ｂの縫合部Ｍ４，Ｍ４で指平材１１２が指平側へ屈曲するようになる。
【００９３】
そして、図２４（ｂ）の状態から図２４（ｃ）に示すように、指平材１１２の左右各端縁と指甲材１２２の左右各端縁とを縫合することにより、指袋１０４の形状に縫製できる。なお、指平材１１２の左右各端縁と指甲材１２２の左右各端縁との縫合部Ｎ３は、各生地の例えば裏側から縫合する（表側から縫合してもよい。）。また、手平材１０１と手甲材１０２のその他の部分および親指袋材は、それぞれ従来から行われている常法により縫合して、縫製手袋とする。また、親指袋の指関節対応位置にも指平側へ屈曲させるための上記と同様の加工（各対向縁１１５ａ，１１５ｂを有する孔１１５）を施してもよい。
【００９４】
この第２実施例の縫製手袋は、図２に示すように、指平材１１２の両側に縫合部が形成されないので、この縫製手袋を装着して物品（グリップ）を握ったときに指Ｆと物品との間に縫合部が介在しなくなるとともに、指袋１０４の曲げ抵抗が少なくなって各指袋１０４が曲げ易くなるとともに、曲げ力が少なくて済むようになる。
【００９５】
また、指袋１０４の指Ｆの関節Ｆａに対応する部分の空間が左右の傾斜直線部縁１１５ａ１，１１５ａ３，１１５ｂ１，１１５ｂ３によって急激に立ち上がるとともに、指Ｆの挿入方向に直交する方向の空間的な広さ（長さ）を直線部縁１１５ａ２，１１５ｂ２によって十分に確保できることにより、縫合部Ｍ４が指Ｆの関節Ｆａの左右に当たらなくなって違和感なく装着できるとともに、使用時に縫合部Ｍ４が指Ｆの関節Ｆａに沿って指Ｆの関節Ｆａと縫合部Ｍ４との間の隙間が小さくなり、縫合部Ｍ４が折り曲げた指Ｆの関節Ｆａの部分に埋没することにより、違和感なく指Ｆを大きく（深く）曲げることができる。
【００９６】
また、各対向縁１１５ａ，１１５ｂが３直線によって形成されたり、各対向縁１１５ａ，１１５ｂが等脚台形状であるので、対向縁１１５ａ，１１５ｂの角を目印に分割指平材１２Ｘ，１２Ｙ，１２Ｚの縁を重ねることができるととともに、対向縁１１５ａ，１１５ｂの縫合部分が直線状になることにより、対向縁１１５ａ，１１５ｂの縫合を容易に行うことができ、品質の均一化を図ることができるとともに、不良品を減少させて歩留まりを向上させることができる。
【００９７】
また、指平材１１２の対向縁１１５ａ，１１５ｂ同士を縫合する場合、対向縁１１５ａ，１１５ｂを上下に重ね合わせた平面状態で縫合できるので、対向縁１１５ａ，１１５ｂ同士の縫合を簡単かつ容易に行うことができる。
【００９８】
ところで、第２実施例では、対向縁１１５ａ，１１５ｂ同士の縫い方は、先に説明したように、直線型、波型（ジグザグ型）、台形型、矩形型のいずれであってもよい。
【００９９】
また、総ての指平材１１２を、掌部１１１から分離して設けてもよく、また、孔１１５の左右部分で、第１実施例のように分割してもよい。
【０１００】
図１８は分割指平材における切り込み縁形状の変形例を示す説明図であり、直線が交わる部分に円弧状部（丸み）Ｒ１を設けた例である。すなわち、等脚台形状の凹部における上底と斜辺との境界が、急激に折れ曲がることなく、円弧状部Ｒ１を間にしてなめらかに曲がっている。このように、切り欠き縁に円弧状部Ｒ１を設けて丸みを持たせても、３直線からなる切り込み縁の場合と同様な作用、効果となる。なお、図１６および図１７の実施例においても、六角形の角に丸みを持たせても、直線の六角形の場合と同様な作用、効果となる。
【０１０１】
図１９は分割指平材における切り込み縁形状の他の変形例を示す説明図であり、直線部および／または傾斜直線部に二点鎖線で示すように少し丸みＬ３１〜Ｌ３６，Ｌ４１〜Ｌ４６を持たせた例である。このように、直線部および／または傾斜直線部に丸みＬ３１〜Ｌ３６，Ｌ４１〜Ｌ４６を持たせて直線部および／または傾斜直線部を楕円の円弧状にしても、直線からなる切り込み縁と同様な作用、効果となる。なお、図１６および図１７の実施例においても、六角形の角に丸みを持たせても、直線の六角形の場合と同様な作用、効果となる。
【０１０２】
ここで、各丸み（円弧状部位）Ｌ３１〜Ｌ３６，Ｌ４１〜Ｌ４６の組み合わせについて例を掲げて説明する。
【０１０３】
分割指平材１２Ｘの凹部の形状に二点鎖線で示す丸みＬ３４,Ｌ３２,Ｌ３６を持たせた場合には、分割指平材１２Ｙの凹部の形状を二点鎖線で示す丸みＬ４１,Ｌ４５,Ｌ４３とすることが望ましい。一方、分割指平材１２Ｘの凹部の形状に二点鎖線で示す丸みＬ３１,Ｌ３５,Ｌ３３を持たせた場合には、分割指平材１２Ｙの凹部の形状を二点鎖線で示す丸みＬ４４,Ｌ４２,Ｌ４６とすることが望ましい。すなわち、お互いを補完するように（お互いがほぼ同じ曲率半径で、一方が凹部側から凹み、他方が凹部側に凸とになって、各分割指平材１２Ｘ，１２Ｙの各凹部が係合するように）凹部の形態を適宜変更することが望ましい。
【０１０４】
さらに、上記説明では、例えば、分割指平材１２Ｘにおいて、分割指平材１２Ｘの各側部における凹部の形態を二点鎖線で示す丸みＬ３１,Ｌ３３のように凸状にし、分割指平材１２Ｘの腹部（中央部）における凹部の形態を二点鎖線で示す丸みＬ３５のように凹状にしてある。しかし、このように限定することなく、分割指平材１２Ｘにおいて、二点鎖線で示す丸みＬ３１〜Ｌ３６を任意に組み合わせて凹部を形成し、分割指平材１２Ｙにおいても、分割指平材１２Ｘの凹部の形状を補完するように、二点鎖線で示す丸みＬ４１〜Ｌ４６を任意に組み合わせて凹部を形成してもよい。
【０１０５】
上記のように、直線部および／または傾斜直線部に丸みを持たせたり、六角形の角に丸みを持たせる場合、対向縁の一方が凹んで湾曲していると、この対向縁と対向する他方の対向縁も凹んで湾曲する形状にし、対向縁の一方が突出して湾曲していると、この対向縁と対向する他方の対向縁も突出して湾曲する形状にするのが好ましい。
【０１０６】
図２０はこの発明をオートバイ用の縫製手袋に適用した一例を示す斜視図であり、レバーを操作等のために手指を大きく（深く）曲げる必要のある薬指用および小指用の指袋の第１関節と第２関節との部分にこの発明を適用し、また、レバーを操作等のために手指を大きく（深く）曲げる必要のない人差し指用および中指用の指袋の第２関節部分にこの発明を適用したものである。このように、手指の屈曲の範囲に応じて、この発明を適用する部分を決定することにより、使い勝手のよい縫製手袋とすることができる。
【産業状の利用可能性】
【０１０７】
この発明は、スキーのストック、オートバイのハンドルグリップ、ゴルフクラブ、野球のバット等を把持し易いように予め指袋を手平側へ屈曲させた縫製手袋に利用され、特に、縫製手袋を手に装着した場合、手指に適合するように伸ばすことにより、縫製手袋を手指に馴染み易くし、装着心地をよくする場合に、極めて有用である。
【符号の説明】
【０１０８】
１，１０１  手平材
２，１０２  手甲材
３  親指袋材
４，１０４  指袋
１１，１１１  掌部
１２，１１２  指平材
１２Ａ〜１２Ｄ  指平材
１２Ｘ〜１２Ｚ  分割指平材
１３，１１３  平面被覆部
１４，１１４  側面被覆部
１５ａ，１５ｂ  切り込み縁
１５ａ１，１５ａ３  傾斜直線部縁
１５ａ２，１５ｂ２  直線部縁
１５ｂ１，１５ｂ３  傾斜直線部縁
２１，１２１  掌部
２２，１２２  指甲材
１１５  孔
１１５ａ，１１５ｂ  対向縁
１１５ａ１，１１５ａ３  傾斜直線部縁
１１５ａ２，１１５ｂ２  直線部縁
１１５ｂ１，１１５ｂ３  傾斜直線部縁
Ｆ  指
Ｆａ  関節
【図１】
2011132281.tif 000003
【図２】
2011132281.tif 000004
【図３】
2011132281.tif 000005
【図４】
2011132281.tif 000006
【図５】
2011132281.tif 000007
【図６】
2011132281.tif 000008
【図７】
2011132281.tif 000009
【図８】
2011132281.tif 000010
【図９】
2011132281.tif 000011
【図１０】
2011132281.tif 000012
【図１１】
2011132281.tif 000013
【図１２】
2011132281.tif 000014
【図１３】
2011132281.tif 000015
【図１４】
2011132281.tif 000016
【図１５】
2011132281.tif 000017
【図１６】
2011132281.tif 000018
【図１７】
2011132281.tif 000019
【図１８】
2011132281.tif 000020
【図１９】
2011132281.tif 000021
【図２０】
2011132281.tif 000022
【図２１】
2011132281.tif 000023
【図２２】
2011132281.tif 000024
【図２３】
2011132281.tif 000025
【図２４】
2011132281.tif 000026
【手続補正書】
【提出日】平成24年10月2日(2012.10.2)
【手続補正１】
【補正対象書類名】特許請求の範囲
【補正対象項目名】全文
【補正方法】変更
【補正の内容】
【特許請求の範囲】
【請求項１】
手指の甲面を被覆する指甲材と、前記手指の平面および左右側面をそれぞれ被覆する幅を有した指平材とを縫製して指袋とするとともに、前記指袋を掌側へ屈曲させた縫製手袋であって、
前記指平材を、前記手指の関節に対応する位置で複数の分割指平材に分割し、
この各分割指平材の分割部端縁を、前記手指の左側面に対応する左側面被覆部と前記手指の平面に対応する平面被覆部と前記手指の右側面に対応する右側面被覆部とにわたって、前記手指の関節と平行な前記平面被覆部の直線部縁の左右に傾斜直線部縁が連なる凹状の切り込み縁とし、
前記各分割指平材を前記切り込み縁に沿って所定の幅でお互いに重ね相互に縫合することにより、前記指甲材を含む前記指袋全体を前記掌側へ向けて屈曲させてあり、前記各切り込み縁が３直線によって形成されており、前記各切り込み縁が等脚台形を形成している、
ことを特徴とする縫製手袋。
【請求項２】
手指の甲面を被覆する指甲材と、前記手指の平面および左右側面をそれぞれ被覆する幅を有した指平材とを縫製して指袋とするとともに、前記指袋を掌側へ屈曲させた縫製手袋であって、
前記指平材の前記手指の関節に対応する位置に、前記指平材の左右両側縁の各一部を残して前記手指の左側面に対応する左側面被覆部と前記手指の平面に対応する平面被覆部と前記手指の右側面に対応する右側面被覆部とにわたって、前記手指の関節と平行な前記平面被覆部の直線部の左右に傾斜直線部が連なる曲線が対向配置された形状の孔を設け、
この孔の対向する対向縁同士をその対向縁に沿って所定の幅でお互いに重ね相互に縫合することにより、前記指甲材を含む前記指袋全体を前記掌側へ向けて屈曲させてあり、前記孔が６直線によって形成された六角形であり、前記孔が指先側の等脚台形と指下側の等脚台形とを接合した六角形である、
ことを特徴とする縫製手袋。
【手続補正２】
【補正対象書類名】明細書
【補正対象項目名】００２０
【補正方法】変更
【補正の内容】
【００２０】
そして、前記各分割指平材を前記切り込み縁に沿って所定の幅でお互いに重ね相互に縫合することにより、前記指甲材を含む前記指袋全体を前記掌側へ向けて屈曲させる。
【手続補正３】
【補正対象書類名】明細書
【補正対象項目名】００２３
【補正方法】変更
【補正の内容】
【００２３】
そして、孔の対向する対向縁同士をその対向縁に沿って所定の幅でお互いに重ね相互に縫合することにより、前記指甲材を含む前記指袋全体を前記掌側へ向けて屈曲させる。
【国際調査報告】
2011132281.tif 000027
2011132281.tif 000028
2011132281.tif 000029
2011132281.tif 000030